(57)【特許請求の範囲】
【請求項１】
第１線および第２線を含むケーブルの両端部にそれぞれ設けられ、高速データ転送が可能なＬＥＤ  ＬＡＮケーブルコネクタにおいて、
前記ケーブルの端部に連結される本体部と、
前記本体部に設置され、外部から電力が入力されるように電源端子が形成され、前記電力の供給を受けて前記電力を変換するコンデンサーを有し、前記電力が前記第１線と前記第２線に伝達されるように、前記第１線と前記第２線にそれぞれ連結される基板部と、
前記基板部に設置され、前記コンデンサーから前記電力の供給を受けて発光する発光部と、
を含む、高速データ転送が可能なＬＥＤ  ＬＡＮケーブルコネクタ。
【請求項２】
前記電力は、パルス信号を含むことを特徴とする、請求項１に記載の高速データ転送が可能なＬＥＤ  ＬＡＮケーブルコネクタ。
【請求項３】
前記本体部は、
ポートに挿入される前端部と、
前記ケーブルの端部に設置される後端部と、
前記基板部が設置され、前記発光部が外部に露出するように開口部が形成されており、前記前端部に設置される中間部と、
を含む、請求項１に記載の高速データ転送が可能なＬＥＤ  ＬＡＮケーブルコネクタ。
【請求項４】
前記本体部は、前記中間部の下面に着脱可能に設置される下端部をさらに含む、請求項３に記載の高速データ転送が可能なＬＥＤ  ＬＡＮケーブルコネクタ。
【請求項５】
第１線および第２線を含むケーブルと、
前記ケーブルの端部に連結される本体部と、
前記本体部に設置され、外部から電力が入力されるように電源端子が形成され、前記電力の供給を受けて前記電力を変換するコンデンサーを有し、前記電力が前記第１線と前記第２線に伝達されるように、前記第１線と前記第２線にそれぞれ連結される基板部と、
前記基板部に設置され、前記コンデンサーから前記電力の供給を受けて発光する発光部と、
を含み、
前記電力は、パルス信号を含むことを特徴とする、高速データ転送が可能なＬＥＤ  ＬＡＮケーブル。
【請求項６】
前記本体部は、
ポートに挿入される前端部と、
前記ケーブルの端部に設置される後端部と、
前記基板部が設置され、前記発光部が外部に露出するように開口部が形成されており、前記前端部に設置される中間部と、
を含む、請求項５に記載の高速データ転送が可能なＬＥＤ  ＬＡＮケーブル。
【請求項７】
前記本体部は、前記中間部の下面に着脱可能に設置される下端部をさらに含む、請求項６に記載の高速データ転送が可能なＬＥＤ  ＬＡＮケーブル。
【請求項８】
第１線および第２線を含むケーブルと、
前記ケーブルの端部に連結される本体部と、
前記本体部に設置され、外部から電力が入力されるように電源端子が形成され、前記電力の供給を受けて前記電力を変換するコンデンサーを有し、前記電力が前記第１線と前記第２線に伝達されるように、前記第１線と前記第２線にそれぞれ連結される基板部と、
前記基板部に設置され、前記コンデンサーから前記電力の供給を受けて発光する発光部と、
前記電源端子に前記電力を供給する電源部と、
を含み、
前記電源部は、
ベース部と、
前記ベース部に設置され、前記電源端子に接触する接触部と、
前記接触部に電力を供給する供給部と、
パルス信号を生成し、前記接触部にパルス信号を伝達するパルス発生モジュールと、
を含む、高速データ転送が可能なＬＥＤ  ＬＡＮケーブルシステム。
【発明の詳細な説明】
【技術分野】
【０００１】
本発明は、高速データ転送が可能なＬＥＤ  ＬＡＮケーブルコネクタ、高速データ転送が可能なＬＥＤ  ＬＡＮケーブル、高速データ転送が可能なＬＥＤ  ＬＡＮケーブルシステムに関する。より詳細には、ＬＥＤが設置されるＬＡＮケーブルコネクタに外部電力が印加される場合、データの転送速度が低下したり、データが遮断されたりすることを効果的に防止することができ、高速データ転送が可能なＬＥＤ  ＬＡＮケーブルコネクタ、高速データ転送が可能なＬＥＤ  ＬＡＮケーブル、高速データ転送が可能なＬＥＤ  ＬＡＮケーブルシステムに関する。
【背景技術】
【０００２】
ＬＡＮケーブル（Ｌｏｃａｌ  Ａｒｅａ  Ｎｅｔｗｏｒｋ  Ｃａｂｌｅ）は、有線ネットワークを用いるためのケーブルであって、各種のネットワーク装置を相互に連結するために使用される。
【０００３】
一般企業、官公庁、学校、病院などの大規模ネットワーク設備が備わる大型施設だけでなく、小規模オフィス、食堂、家庭などの小型のネットワーク装置が設置される場所でも、前述したＬＡＮケーブルは必ず使用される。
【０００４】
このようなネットワーク装置に問題が発生した場合、作業者は、ＬＡＮケーブルがどの装置のどのポートに挿入されているかを優先的に把握しなければならない。
【０００５】
大企業、官公庁などの大規模施設に設置される大型ネットワーク装置は、無数のＬＡＮケーブルで相互に連結されている。そのため、ネットワーク装置を連結する複数のＬＡＮケーブルの両端部を個別に確認するという従来の方法では、作業者は、ＬＡＮケーブルがどの装置のどのポートに挿入されているかを把握することは困難である。
【０００６】
前述したＬＡＮケーブル確認作業を容易にするために、従来は、それぞれのＬＡＮケーブルにタグを取付ける方法が用いられた。このような方法が適切な効果をもたらすためには、ネットワーク装置の入替および変更などが発生した場合、タグも共に入れ替えなければならない。しかし、前述した入替作業は、作業者の変更および管理不十分などにより、現場で完璧には実施されていない。そのため、入れ替えられてないタグが原因で、ネットワーク維持および保守作業に多くの時間と労働力が消耗されている。
【０００７】
そこで、ＬＡＮケーブルの連結確認作業のために、受信側および送信側の各ＬＡＮケーブルコネクタにＬＥＤをそれぞれ設置し、外部から電力を印加して、両方のＬＥＤが点灯しているかどうかを確認する技術が提案された。
【０００８】
しかし、この技術は、１００Ｍｐｓ以下の速度でデータを転送する規格では正常に作動したが、１００Ｍｐｓ以上の速度でデータを転送するＣＡＴ５Ｅ、ＣＡＴ６、ＣＡＴ７などの規格では、外部電源によるデータ転送速度の低下、データの遮断などの問題を引き起こした。
【発明の概要】
【発明が解決しようとする課題】
【０００９】
本発明の目的は、前述した従来の問題点を解決するためのものであって、ＬＥＤが設置されるＬＡＮケーブルコネクタに外部電力が印加される場合、データの転送速度が低下したり、データが遮断されたりするのを効果的に防止することができ、高速データ転送が可能なＬＥＤ  ＬＡＮケーブルコネクタ、高速データ転送が可能なＬＥＤ  ＬＡＮケーブル、高速データ転送が可能なＬＥＤ  ＬＡＮケーブルシステムを提供することにある。
【課題を解決するための手段】
【００１０】
上記目的は、本発明によれば、第１線および第２線を含むケーブルの両端部にそれぞれに設けられ、高速データ転送が可能なＬＥＤ  ＬＡＮケーブルコネクタにおいて、上記ケーブルの端部に連結される本体部と、上記本体部に設置され、外部から電力が入力されるように電源端子が形成され、上記電力の供給を受けて上記電力を変換するコンデンサーを有し、上記電力が上記第１線と上記第２線に伝達されるように、上記第１線と上記第２線にそれぞれ連結される基板部と、上記基板部に設置され、上記コンデンサーから上記電力の供給を受けて発光する発光部と、を含む、高速データ転送が可能なＬＥＤ  ＬＡＮケーブルコネクタによって達成される。
【００１１】
また、上記電力は、パルス信号を含むことができる。
【００１２】
また、上記本体部は、ポートに挿入される前端部と、上記ケーブルの端部に設置される後端部と、上記基板部が設置され、上記発光部が外部に露出するように開口部が形成されており、上記前端部に設置される中間部と、を含むことができる。
【００１３】
また、上記本体部は、上記中間部の下面に着脱可能に設置される下端部をさらに含むことができる。
【００１４】
上記目的は、本発明によれば、第１線および第２線を含むケーブルと、上記ケーブルの端部に連結される本体部と、上記本体部に設置され、外部から電力が入力されるように電源端子が形成され、上記電力の供給を受けて上記電力を変換するコンデンサーを有し、上記電力が上記第１線と上記第２線に伝達されるように、上記第１線と上記第２線にそれぞれ連結される基板部と、上記基板部に設置され、上記コンデンサーから上記電力の供給を受けて発光する発光部と、を含む高速データ転送が可能なＬＥＤ  ＬＡＮケーブルによって達成される。
【００１５】
また、上記電力は、パルス信号を含むことができる。
【００１６】
また、上記本体部は、ポートに挿入される前端部と、上記ケーブルの端部に設置される後端部と、上記基板部が設置され、上記発光部が外部に露出するように開口部が形成されており、上記前端部に設置される中間部と、を含むことができる。
【００１７】
また、上記本体部は、上記中間部の下面に着脱可能に設置される下端部をさらに含むことができる。
【００１８】
上記目的は、本発明によれば、第１線および第２線を含むケーブルと、上記ケーブルの端部に連結される本体部と、上記本体部に設置され、外部から電力が入力されるように電源端子が形成され、上記電力の供給を受けて上記電力を変換するコンデンサーを有し、上記電力が上記第１線と上記第２線に伝達されるように、上記第１線と上記第２線にそれぞれ連結される基板部と、上記基板部に設置され、上記コンデンサーから上記電力の供給を受けて発光する発光部と、上記電源端子に上記電力を供給する電源部と、を含む、高速データ転送が可能なＬＥＤ  ＬＡＮケーブルシステムによって達成される。
【００１９】
また、上記電源部は、ベース部と、上記ベース部に設置され、上記電源端子に接触する接触部と、上記接触部に電力を供給する供給部と、パルス信号を生成し、上記接触部にパルス信号を伝達するパルス発生モジュールと、を含むことができる。
【発明の効果】
【００２０】
本発明によると、ＬＥＤが設置されるＬＡＮケーブルコネクタに外部電力が印加される場合、データの転送速度が低下したり、データが遮断されたりすることを効果的に防止することができる。
【図面の簡単な説明】
【００２１】
【図１】本発明の一実施形態に係る高速データ転送が可能なＬＥＤ  ＬＡＮケーブルコネクタを全体的に示した図である。
【図２】本発明の一実施形態に係る高速データ転送が可能なＬＥＤ  ＬＡＮケーブルコネクタの分解斜視図である。
【図３】本発明の一実施形態に係る高速データ転送が可能なＬＥＤ  ＬＡＮケーブルコネクタの構成間の電気的な連結を示した図である。
【図４】本発明の一実施形態に係る高速データ転送が可能なＬＥＤ  ＬＡＮケーブルコネクタの前端部を示した図である。
【図５】本発明の一実施形態に係る高速データ転送が可能なＬＥＤ  ＬＡＮケーブルコネクタの中間部を示した図である。
【図６】本発明の一実施形態に係る高速データ転送が可能なＬＥＤ  ＬＡＮケーブルコネクタの下端部を示した図である。
【図７】本発明の一実施形態に係る高速データ転送が可能なＬＥＤ  ＬＡＮケーブルコネクタの基板部を示した図である。
【図８】本発明の一実施形態に係る高速データ転送が可能なＬＥＤ  ＬＡＮケーブルを全体的に示した図である。
【図９】本発明の一実施形態に係る高速データ転送が可能なＬＥＤ  ＬＡＮケーブルシステムの実施形態を示した図である。
【図１０】本発明の一実施形態に係る高速データ転送が可能なＬＥＤ  ＬＡＮケーブルシステムの電源部構成の電気的連結を示した図である。
【発明を実施するための形態】
【００２２】
以下、添付した図面を参照して、本発明の一実施形態に係る高速データ転送が可能なＬＥＤ  ＬＡＮケーブルコネクタについて詳細に説明する。
【００２３】
図１は、本発明の一実施形態に係る高速データ転送が可能なＬＥＤ  ＬＡＮケーブルコネクタを全体的に示した図であり、図２は、本発明の一実施形態に係る高速データ転送が可能なＬＥＤ  ＬＡＮケーブルコネクタの分解斜視図であり、図３は、本発明の一実施形態に係る高速データ転送が可能なＬＥＤ  ＬＡＮケーブルコネクタの構成間の電気的な連結を示した図であり、図４は、本発明の一実施形態に係る高速データ転送が可能なＬＥＤ  ＬＡＮケーブルコネクタの前端部を示した図であり、図５は、本発明の一実施形態に係る高速データ転送が可能なＬＥＤ  ＬＡＮケーブルコネクタの中間部を示した図であり、図６は、本発明の一実施形態に係る高速データ転送が可能なＬＥＤ  ＬＡＮケーブルコネクタの下端部を示した図であり、図７は、本発明の一実施形態に係る高速データ転送が可能なＬＥＤ  ＬＡＮケーブルコネクタの基板部を示した図である。
【００２４】
図１〜図７に示すように、本発明の一実施形態に係る高速データ転送が可能なＬＥＤ  ＬＡＮケーブルコネクタ１００は、本体部１１０と、基板部１２０と、発光部１３０とを含む。
【００２５】
本体部１１０は、ケーブル２４０の端部に連結されるものであって、後述する基板部１２０が本体部１１０に設置される。このような本体部１１０は、前端部１１１と、後端部１１２と、中間部１１３と、下端部１１４とを含む。
【００２６】
前端部１１１は、ポートに挿入されるものであって、後述する中間部１１３が前端部１１１に挿入設置される。このような前端部１１１の両側面は、後述する基板部１２０に形成された電源端子１２０ａが外部に露出するように開口される。また、前端部１１１の上面は、基板部１２０に設置される発光部１３０が外部に露出するように開口される。
【００２７】
後端部１１２は、ケーブル２４０の端部に設置されるものであって、後述する中間部１１３が後端部１１２に設置される。
【００２８】
中間部１１３は、前述した前端部１１１に挿入設置されるものであって、後述する基板部１２０が中間部１１３に設置される。このような中間部１１３の前面には、ケーブル２４０を構成する複数の線の端部が挿入設置されるように、複数のライン状の溝が形成される。
【００２９】
また、中間部１１３には、基板部１２０に設置される発光部１３０が外部に露出するように上面に開口部が形成されている。
【００３０】
下端部１１４は、中間部１１３の下方に設置されるものであって、前記中間部１１３の下面に着脱可能に設けられる。このような下端部１１４によって、基板部１２０に異常が発生した場合、基板部１２０を中間部１１３から容易に抜去することができる。
【００３１】
基板部１２０は、前述した本体部１１０の中間部１１３に設置されるものであって、外部から電力を入力できるように電源端子１２０ａが形成される。ケーブルに含まれる複数の線のうち、データ転送中の任意の２つの線である第１線と第２線に電力が伝達されるように、電源端子１２０ａは、第１線と第２線にそれぞれ連結される。このような基板部１２０の上面には、後述する発光部１３０が設置される。
【００３２】
また、基板部１２０は、電源端子１２０ａから電力の供給を受けるコンデンサー１２０ｂ（Ｃｏｎｄｅｎｓｅｒ）を有する。このようなコンデンサー１２０ｂは、外部から入力される電力および電力に含まれるパルス信号の入力を受けて、電力の特性を加工する。すなわち、コンデンサー１２０ｂは、１００Ｍｐｓ以上の速度でデータを転送する、ＣＡＴ５Ｅ、ＣＡＴ６、ＣＡＴ７などの規格に対応した所定の周期と振幅を持つように電力を変換する。変換された電力は、第１線および第２線を介して受信側発光部１３０に供給されて、受信側発光部１３０を発光させる。
【００３３】
１００Ｍｐｓ以上の速度でデータを転送する、ＣＡＴ５Ｅ、ＣＡＴ６、ＣＡＴ７などの規格によるシステムは、データ信号以外の信号の入力が確認されると、データ信号をノイズとして認識してデータを遮断したり、データ転送速度を大幅に低下させたりする。そのため、上記システムに外部電力がそのまま発光部１３０に供給されると、データ信号以外の信号として認識される電力が、発光部１３０に連結される第１線と第２線に沿ってシステムに入力され、これに応じて、データが遮断されたり、データ転送速度が大幅に低下したりするという問題が生じる。
【００３４】
しかしながら、前述したように、コンデンサー１２０ｂにパルス信号を含む電力が入力されると、発光部１３０に対して、一対の発光部１３０が発光するための電力が供給されると同時に、第１線と第２線には、１００Ｍｐｓ以上の速度でデータを転送するＣＡＴ５Ｅ、ＣＡＴ６、ＣＡＴ７などの規格に対応する形態の電力、すなわち、ノイズとして認識されない信号が、第１線および第２線に供給される。その結果、受信側および送信側の発光部１３０を全て発光させながらも、データの遮断およびデータ転送速度の低下などの従来の問題は効果的に防止される。
【００３５】
発光部１３０は、電力の供給を受けて発光するものであって、基板部１２０に設置される。
【００３６】
ケーブル２４０は、一般的に８つの線を有しており、８つの線のうちの任意の２つの線、すなわち、第１線と第２線は、送信側発光部１３０および受信側発光部１３０を相互に電気的に連結する。
【００３７】
前述したように、受信側発光部１３０および送信側発光部１３０は、第１線と第２線で相互に電気的に連結されており、作業者が送信側発光部１３０に電力を供給すると、送信側発光部１３０が発光するとともに、受信側発光部１３０にも電力が供給されて受信側発光部１３０が発光することになる。
【００３８】
したがって、このような発光部１３０によれば、ケーブル２４０の両端がどの装置のどのポートに挿入されているのかが作業者によって効果的に把握されるため、ネットワークシステムの維持、保守および管理が容易になるという効果がある。
【００３９】
このような発光部１３０は、ＬＥＤ（Ｌｉｇｈｔ  Ｅｍｉｔｔｉｎｇ  Ｄｉｏｄｅ）モジュールで構成されるが、これに必ずしも制限されるものではなく、電力の供給を受けて発光できるものであれば、いかなるもので構成されてもよい。
【００４０】
上記により、本体部１１０と、基板部１２０と、発光部１３０とを含む、本発明の一実施形態に係る高速データ転送が可能なＬＥＤ  ＬＡＮケーブルコネクタ１００によると、１００Ｍｐｓ以上の速度でデータを転送するＣＡＴ５Ｅ、ＣＡＴ６、ＣＡＴ７の規格でも効果的に動作し、高速データ転送が可能なＬＥＤ  ＬＡＮケーブルコネクタ１００が提供される。
【００４１】
ここからは、添付した図面を参照して、本発明の一実施形態に係る高速データ転送が可能なＬＥＤ  ＬＡＮケーブルについて詳細に説明する。
【００４２】
本発明の一実施形態に係る高速データ転送が可能なＬＥＤ  ＬＡＮケーブル２００は、本体部１１０と、基板部１２０と、発光部１３０と、ケーブル２４０とを含む。
【００４３】
ただし、本発明の一実施形態では、本体部１１０と、基板部１２０と、発光部１３０とは、本発明の一実施形態に係る高速データ転送が可能なＬＥＤ  ＬＡＮケーブルコネクタ１００で説明した構成要素と同一のものであるので、重複説明は省略する。
【００４４】
図８は、本発明の一実施形態に係る高速データ転送が可能なＬＥＤ  ＬＡＮケーブルを全体的に示した図である。
【００４５】
図８に示すように、ケーブル２４０は、第１線および第２線を含むものであって、本体部１１０がケーブル２４０の両端部にそれぞれ設置される。すなわち、ケーブル２４０の両端部には、本体部１１０が挿入される形態で設けられる。
【００４６】
このようなケーブル２４０は、ネットワーク通信用に設けられるものであって、内部に多数の線を含む。このような多数の線は、一般的に８つの線が設けられる。このような８つの線のうちの第１線と第２線は、送信側発光部１３０と受信側発光部１３０を相互に連結する。
【００４７】
前述したように、本体部１１０と、基板部１２０と、発光部１３０と、ケーブル２４０とを含む、本発明の一実施形態に係る高速データ転送が可能なＬＥＤ  ＬＡＮケーブル２００によると、１００Ｍｐｓ以上の速度でデータを転送するＣＡＴ５Ｅ、ＣＡＴ６、ＣＡＴ７の規格でも効果的に動作し、高速データ転送が可能なＬＥＤ  ＬＡＮケーブル２００が提供される。
【００４８】
ここからは、添付した図面を参照して、本発明の一実施形態に係る高速データ転送が可能なＬＥＤ  ＬＡＮケーブルシステムについて詳細に説明する。
【００４９】
本発明の一実施形態に係る高速データ転送が可能なＬＥＤ  ＬＡＮケーブルシステム３００は、本体部１１０と、基板部１２０と、発光部１３０と、ケーブル２４０と、電源部３５０とを含む。
【００５０】
ただし、本発明の一実施形態では、本体部１１０と、基板部１２０と、発光部１３０と、ケーブル２４０とは、本発明の一実施形態に係る高速データ転送が可能なＬＥＤ  ＬＡＮケーブル２００で説明した構成要素と同一のものであるので、重複説明は省略する。
【００５１】
図９は、本発明の一実施形態に係る高速データ転送が可能なＬＥＤ  ＬＡＮケーブルシステムの実施形態を示した図であり、図１０は、本発明の一実施形態に係る高速データ転送が可能なＬＥＤ  ＬＡＮケーブルシステムの電源部構成の電気的連結を示した図である。
【００５２】
図９および図１０に示したように、電源部３５０は、電源端子１２０ａに電力を供給するものであって、ベース部３５１と、接触部３５２と、供給部３５３と、パルス発生モジュール３５４とを含む。
【００５３】
ベース部３５１は、後述する供給部３５３とパルス発生モジュール３５４を収容する空間を提供するものであって、一側面から分岐して延長形成される一対の端部には、接触部３５２がそれぞれ設置される。
【００５４】
接触部３５２は、前述したベースに形成された一対の端部に設置されるものであって、後述する供給部３５３から電力が伝達され、接触部３５２が電源端子１２０ａに接触することによって、電源端子１２０ａに電力を供給する。
【００５５】
供給部３５３は、前述した接触部３５２に電力を供給するものであって、バッテリーを内蔵する形態で設けられてもよいし、外部の電源装置に連結される形態で設けられてもよい。
【００５６】
供給部３５３がバッテリーを内蔵する形態の場合、バッテリーの充電は、外部から有線で供給を受けるか、無線方式で充電される。
【００５７】
また、供給部３５３が、外部の電源装置に連結される形態の場合、供給部３５３が外部の電源装置に連結されるために、ベース部３５１の他側端部には、電源コネクタが設置できるように貫通溝が形成されることが好ましい。
【００５８】
パルス発生モジュール３５４は、パルス信号を生成し、生成されたパルス信号を前述した接触部３５２に伝達する。
【００５９】
このようなパルス発生モジュール３５４で生成されるパルス信号は、電力と共にコンデンサー１２０ｂに供給される。コンデンサー１２０ｂは、パルス信号および電力の入力を受けて電力の特性を加工することによって、１００Ｍｐｓ以上の速度でデータを転送する、ＣＡＴ５Ｅ、ＣＡＴ６、ＣＡＴ７などの規格に対応した所定の周期と振幅を持つように電力を変換する。
【００６０】
前述したように、本体部１１０と、基板部１２０と、発光部１３０と、ケーブル２４０と、供給部３５３とを含む、本発明の一実施形態に係る高速データ転送が可能なＬＥＤ  ＬＡＮケーブルシステム３００によると、１００Ｍｐｓ以上の速度でデータを転送するＣＡＴ５Ｅ、ＣＡＴ６、ＣＡＴ７の規格でも効果的に動作し、高速データ転送が可能なＬＥＤ  ＬＡＮケーブルシステム３００が提供される。
【００６１】
本発明の権利範囲は、前述した実施形態に限定されるものではなく、添付した特許請求の範囲内で様々な形態の実施形態で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【図１】
0006484726.tif 000002
【図２】
0006484726.tif 000003
【図３】
0006484726.tif 000004
【図４】
0006484726.tif 000005
【図５】
0006484726.tif 000006
【図６】
0006484726.tif 000007
【図７】
0006484726.tif 000008
【図８】
0006484726.tif 000009
【図９】
0006484726.tif 000010
【図１０】
0006484726.tif 000011